(57)【要約】【課題】表示パネルの温度特性の影響を除去し高品質の立体画像の表示を可能にする。【解決手段】液晶表示パネルを使用して左目画像および右目画像をフレーム毎に順次切換表示する立体画像表示装置において、左目画像および右目画像の切換周波数を液晶パネルの温度に応じて制御する。例えば、タイマを使用し表示装置の電源投入後所定の時間まで左目画像および右目画像の切換周波数を徐々に上昇させる。あるいは、温度センサにより表示パネルの温度を検出し、この検出温度に応じて前記切換周波数を制御する。【選択図】        図１
2004336226.tif 000002
【特許請求の範囲】
【請求項１】
複数の画素を備えた液晶表示パネルに左目画像および右目画像を順次切換表示し、前記左目画像および右目画像をそれぞれ左目および右目で見ることにより立体視を可能にする画像表示装置において、
前記左目画像および前記右目画像をフレームごとに順次切換表示し、かつ
前記左目画像および前記右目画像の切換周波数を前記液晶表示パネルの温度に応じて制御する周波数制御手段を備えたことを特徴とする画像表示装置。
【請求項２】
前記周波数制御手段は前記液晶表示パネルの温度が低いときに前記切換周波数をより低くし、前記液晶表示パネルの温度が高くなるに応じて前記切換周波数をより高くすることを特徴とする請求項１に記載の画像表示装置。
【請求項３】
さらに、前記液晶表示パネルの温度を検出する温度センサを備え、前記液晶表示パネルの温度に応じて前記左目画像および前記右目画像の切換周波数を制御することを特徴とする請求項１に記載の画像表示装置。
【請求項４】
前記液晶表示パネルへの電源投入時からの時間を計測するタイマを備え、前記液晶表示パネルへの電源投入時からの時間の経過と共に徐々に前記左目画像および前記右目画像の切換周波数を高くすることを特徴とする請求項１に記載の画像表示装置。
【請求項５】
前記液晶表示パネルへの電源投入時からの時間の経過と共に徐々に前記左目画像および前記右目画像の切換周波数を高くする機能を不作動にする手段を備えたことを特徴とする請求項４に記載の画像表示装置。
【請求項６】
さらに、前記液晶表示パネルを加熱するヒーターを備え、前記液晶表示パネルへの電源投入時に速やかに前記液晶表示パネルの温度を上昇させることを特徴とする請求項１に記載の画像表示装置。
【請求項７】
各フレームにおける表示は１ラインおきに画像信号を表示し、画像信号を表示するラインの間のラインは黒表示期間とし、かつ
フレームごとに順次画像信号を表示するラインと黒表示のラインとを入れ換えることを特徴とする請求項１〜４のいずれか１項に記載の画像表示装置。
【請求項８】
各フレームにおける表示は各ラインにおいて１画素おきに画像信号を表示し、かつ画像信号を表示する画素の間の画素は黒表示とし、そしてフレームごとに順次画像信号を表示する画素と黒表示の画素とを入れ換えることを特徴とする請求項１〜４のいずれか１項に記載の画像表示装置。
【請求項９】
各フレームにおいて隣接ライン間で画像信号を表示する画素の位置を互いにオフセットさせることを特徴とする請求項８に記載の画像表示装置。
【請求項１０】
あるフレームで左目（右目）画像の表示に使用した画素を使用して以後のフレームで右目（左目）画像の表示を行う際には、該画素による左目（右目）画像の表示と右目（左目）画像の表示との間に少なくとも１フレーム分の信号吐き出し期間を挿入することを特徴とする請求項１〜４のいずれか１項に記載の画像表示装置。
【請求項１１】
前記信号吐き出し期間は黒表示期間であることを特徴とする請求項１０に記載の画像表示装置。
【発明の詳細な説明】
【０００１】
【発明の属する技術分野】
本発明は、画像表示装置に関し、例えば液晶表示パネルのような画像表示パネルを用いて立体画像を表示する画像表示装置において、画像表示パネルの温度特性による表示画像への悪影響を除去または軽減する技術に関する。
【０００２】
【従来の技術】
図１２は、画像表示パネルとして液晶パネルを使用した従来の画像表示装置の一例としての立体（３Ｄ）表示装置の概略の構成を示す。
【０００３】
同図の立体表示装置は、左（Ｌ）カメラ２と、右（Ｒ）カメラ４と、信号処理装置６と、立体（３Ｄ）液晶表示装置１４などによって構成される。左カメラ２は、図示しない被写体像を撮像して左目画像に対応する左目画像信号を生成するものである。右カメラ４は、前記被写体を撮像して右目画像に対応する右目画像信号を生成するものである。通常、左カメラ２と右カメラ４とは所定の位置関係に保持され、同じ被写体をそれぞれ左目および右目で見た画像を撮像する。
【０００４】
信号処理装置６は、左（Ｌ）信号処理部８と、右（Ｒ）信号処理部１０と、３Ｄコンバータ１２を備えている。左信号処理部８および右信号処理部１０は、それぞれ、前記左カメラ２および右カメラ４から入力される左目画像信号および右目画像信号を受けて必要な信号処理、例えばγ補正、周波数特性の補正、色信号の処理、その他を行ない所定の特性を有する左目画像信号および右目画像信号を生成する。３Ｄコンバータ１２は、このような左目画像信号および右目画像信号を受けてフレームごとに左目画像信号および右目画像信号を交互に出力する３Ｄ映像信号または画像信号を生成し、液晶表示装置１４に供給する。
【０００５】
液晶表示装置１４は、液晶表示パネルの上に、液晶シャッタ１６を設けたもので、フレームごとに偏光方向を互いに直交する方向に切り換えるものである。このような３Ｄ液晶表示装置１４を左右で偏光方向の異なる眼鏡１８を使用して観察することにより立体表示パネル１４上に表示される左目画像を左目で観察し、右目画像を右目で観察することが可能になる。すなわち、立体表示パネル１４の画面上には、フレームごとに交互に左目画像および右目画像が表示されると共に、液晶シャッタ１６によってフレームごとに偏光方向が互いに直交する方向に切り換えられる。眼鏡１８の左右の偏光方向はそれぞれ立体表示パネル１４上に左目画像が表示される場合の液晶シャッタ１６の偏光方向および右目画像が表示される場合の液晶シャッタ１６の偏光方向と合わせてある。これによって、左目画像は左目で、右目画像は右目で観察することができ、立体視を行なうことが可能になる。
【０００６】
また、本願出願人は、応答速度が比較的遅い表示パネルを使用した場合にも、残像効果の影響を受けず高品質の立体画像などの表示が可能な画像表示装置を提案している（特願２００２−２７１２６７号）。この画像表示装置においては、例えば左目画像信号の表示に使用した画素をその後右目画像信号の表示に使用する際には、左目画像の表示と右目画像の表示との間に少なくとも１フレーム分の信号吐き出し期間を設けるものである。これによって、応答速度の遅い表示装置を使用した場合にも、左右の信号が混合されて表示されることがなくなり、残像効果が大幅に軽減され、高品質の立体表示などを行なうことが可能になる。
【０００７】
【発明が解決しようとする課題】
上述のような画像表示装置において、表示パネルとして液晶表示パネルを使用した場合には次のような問題が生じる。すなわち、液晶表示パネルの応答速度は温度によって変化し、低温になると液晶分子の動きが鈍くなるため応答速度が遅くなり温度が高くなると応答速度が良好になる。
【０００８】
現在商品化されている比較的応答速度の速い液晶パネル（１６ｍｓ）を使用しても、例えば室温より低い１０℃程度の低温になると応答特性が悪化し、左目画像（Ｌ）と右目画像（Ｒ）の間のクロストークが大きくなり、良質な立体画像が得られなくなる。
【０００９】
もちろん、上記のような液晶表示パネルを使用した画像表示装置においても、電源をオン（ＯＮ）にしてしばらく、例えば１０〜２０分程度、放置しておけば、装置自身の発熱で液晶パネルの温度も上昇し応答速度も速くなり立体画像の表示品質も良好になる。しかしながら、このような場合でも、電源投入後しばらくの間は、満足な立体画像を得ることはできず、電源投入直後から直ちに良好な品質の立体画像を表示することは困難であった。
【００１０】
また、別の問題として、低温時には液晶表示パネルの応答速度が遅いため、低温時に表示画像の輝度が低くなるという不都合があった。これは、低温時の液晶パネルの応答速度が遅い時に例えば白信号が入力されても、液晶分子が十分に回転できず、液晶セルにおける光の透過が不十分となるためである。
【００１１】
したがって、本発明の目的は、上記画像表示装置における問題点に鑑み、応答速度などが温度により影響を受ける表示パネルを使用した場合にも、周囲温度の影響を受けることなく高品質で立体画像の表示が可能な画像表示装置を提供することにある。
【００１２】
【課題を解決するための手段】
本発明の一態様では、複数の画素を備えた液晶表示パネルに左目画像および右目画像を順次切換表示し、前記左目画像および右目画像をそれぞれ左目および右目で見ることにより立体視を可能にする画像表示装置が提供され、該画像表示装置は前記左目画像および前記右目画像をフレームごとに順次切換表示し、かつ前記左目画像および前記右目画像の切換周波数を前記液晶表示パネルの温度に応じて制御する周波数制御手段を備えたことを特徴とする。
【００１３】
この場合、前記周波数制御手段は前記液晶表示パネルの温度が低いときに前記切換周波数をより低くし、前記液晶表示パネルの温度が高くなるに応じて前記切換周波数をより高くすると好都合である。
【００１４】
さらに、前記液晶表示パネルの温度を検出する温度センサを備え、前記液晶表示パネルの温度に応じて前記左目画像および前記右目画像の切換周波数を制御することができる。
【００１５】
あるいは、前記液晶表示パネルへの電源投入時からの時間を計測するタイマを備え、前記液晶表示パネルへの電源投入時からの時間の経過と共に徐々に前記左目画像および前記右目画像の切換周波数を高くしてもよい。
【００１６】
この場合、前記液晶表示パネルへの電源投入時からの時間の経過と共に徐々に前記左目画像および前記右目画像の切換周波数を高くする機能を不作動にする手段を備えることもできる。
【００１７】
さらに、前記液晶表示パネルを加熱するヒーターを備え、前記液晶表示パネルへの電源投入時に速やかに前記液晶表示パネルの温度を上昇させることもできる。
【００１８】
さらに、各フレームにおける表示は１ラインおきに画像信号を表示し、画像信号を表示するラインの間のラインは黒表示期間とし、かつフレームごとに順次画像信号を表示するラインと黒表示のラインとを入れ換えると好都合である。
【００１９】
あるいは、各フレームにおける表示は各ラインにおいて１画素おきに画像信号を表示し、かつ画像信号を表示する画素の間の画素は黒表示とし、そしてフレームごとに順次画像信号を表示する画素と黒表示の画素とを入れ換えることもできる。
【００２０】
この場合、各フレームにおいて隣接ライン間で画像信号を表示する画素の位置を互いにオフセットさせると好都合である。
【００２１】
さらに、あるフレームで左目（右目）画像の表示に使用した画素を使用して以後のフレームで右目（左目）画像の表示を行う際には、該画素による左目（右目）画像の表示と右目（左目）画像の表示との間に少なくとも１フレーム分の信号吐き出し期間を挿入するよう構成することもできる。
【００２２】
この場合、前記信号吐き出し期間は黒表示期間とすることができる。
【００２３】
【発明の実施の形態】
以下、図面を参照して本発明の好ましい実施形態につき説明する。
図１は、本発明の一実施形態に係わる画像表示装置としての立体表示装置の概略の構成を示す。同図の立体表示装置は、左（Ｌ）カメラ２と、右（Ｒ）カメラ４と、信号処理装置６ａと、立体（３Ｄ）液晶表示装置１４などによって構成される。図１において、左カメラ２、右カメラ４、立体液晶表示装置１４は、前記図１２を参照して説明した立体表示装置のものと同様の構成を有する。通常、左カメラ２と右カメラ４とは所定の位置関係に保持され、同じ被写体をそれぞれ左目および右目で見た画像を撮像する。
【００２４】
信号処理装置６ａは、左（Ｌ）信号処理部８と、右（Ｒ）信号処理部１０と、３Ｄコンバータ１２ａと、タイマ２０を備えている。左信号処理部８および右信号処理部１０は、それぞれ図１２に示したものと同様の動作を行ないそれぞれ左目画像信号および右目画像信号を生成する。３Ｄコンバータ１２ａは、前記図１２に示した３Ｄコンバータ１２の機能に加えて、左目画像信号の表示フレームと右目画像信号の表示フレームとの切換周波数、以下、Ｌ，Ｒ切換周波数と称する、を変化させる。したがって、３Ｄコンバータ１２ａは、タイマ２０の制御の下に、フレーム毎に左目画像信号および右目画像信号を交互に出力する３Ｄ映像信号または画像信号を生成し、液晶表示装置１４に供給する。
【００２５】
液晶表示装置１４は、前記図１２を参照して説明したように、入力された３Ｄ画像信号に基づき、左目画像および右目画像をフレーム毎に偏光方向を互いに直交する方向に切換えながら表示する。このような３Ｄ液晶表示装置１４を左右で偏光方向の異なる眼鏡１８を使用して観察することにより立体表示パネル１４上に表示される左目画像を左目で観察し、右目画像を右目で観察することができ、これによって立体視を行なうことが可能になる。
【００２６】
図２は、図１の画像表示装置におけるタイマ２０を含む各部の動作を概略的に示す。すなわち、本発明によれば、前述の従来技術の問題を解決するため、画像表示装置に電源を投入（ＯＮ）した直後には、Ｌ，Ｒ切換周波数を低くし、温度が上昇するにつれて周波数を高くする。例えば、電源投入後の時間の経過と共に、例えば２Ｈｚ程度ずつ、周波数を上昇させる。例えば、電源投入直後はＬ，Ｒ切換周波数、すなわちフレーム周波数、を例えば６０〜７０Ｈｚ程度の低い値にし、タイマがオフ（ＯＦＦ）となった時点で最終的な周波数、例えば９０Ｈｚ、になるように設定する。
【００２７】
これは、液晶表示パネルは、低温時に応答速度が遅く、このためフリッカも目立ちにくくなる。したがって、電源投入時はＬ，Ｒ切換周波数を定常状態における周波数９０Ｈｚ程度より低くしてもフリッカは気にならない。一例として、応答速度１６ｍｓ程度の液晶パネルを使用した場合には、電源投入直後はＬ，Ｒ切換周波数を６０Ｈｚ程度とし、温度の上昇と共に少しずつ周波数を高くし最終的には９０Ｈｚ程度まで高くする。
【００２８】
なお、３Ｄコンバータ１２ａから出力される３Ｄ画像信号のＬ，Ｒ切換周波数をこのようにタイマ２０の時間に基づき変化させる場合に、例えば信号処理装置６ａの入力部あるいは３Ｄコンバータ１２ａの入力部などにバッファ用の画像メモリ（図示せず）を設けておくと好都合である。これによって、左カメラ２および右カメラ４などからの入力信号の走査周波数などにかかわりなく、表示用の走査（例えば、水平）カウンタの周波数を変えることができる。この場合、液晶表示装置１４における走査線の数は一定の値とし、ブランキング期間の長さを変えることでＬ，Ｒ切換周波数の変化に対処することができる。
【００２９】
また、現在商品化されている液晶表示パネルのバックライトは、通常冷陰極線管をインバータ回路で駆動しているが、電源投入直後はバックライト自身の明るさもやや暗く、徐々に明るくなる特性を持っている。したがって、上述のように、電源投入直後の液晶表示パネルの温度が低くバックライトも暗い状態の時に、Ｌ，Ｒ切換周波数を低くすると液晶表示パネルの透過光量を増大させることができ、表示画面を明るくすることができるという利点も得られる。
【００３０】
図１の画像表示装置において、タイマ２０の時間は液晶表示パネルの温度特性に基づき決定することができる。図３は、出願人が実際に測定した液晶表示パネルの温度特性の例を示す。図３（ａ）は、液晶表示パネルを恒温槽を使用して１０℃の温度で十分長い時間保存した後、恒温槽から取り出し室温、例えば２５℃、で放置した場合の経過時間（分）と表示画面の明るさ（ルックス）の関係を示す。この場合、フレーム周波数として６０Ｈｚ，７０Ｈｚ，８０Ｈｚおよび９０Ｈｚの４種類の場合につき測定している。また、図３（ｂ）は同様の測定を２０℃で恒温槽に保存し、その後室温環境に放置した場合の温度特性を示す。
【００３１】
これらの温度特性から、本実施形態では、タイマ２０の設定時間、すなわちオンからオフに至る時間、は１５分程度としている。これは、電源投入時のフレーム周波数６０Ｈｚの場合の明るさとほぼ同じ明るさがフレーム周波数９０Ｈｚで得られるまでの時間に設定している。また、図３（ｂ）の初期温度が高い場合は画面輝度が明るく時間変動も比較的少ないので、図３（ａ）の初期温度がより低い場合の温度特性を用いてタイマ時間を設定している。なお、タイマ時間についてはそれぞれの液晶表示パネルに応じて、最適な時間を実験的に求めることができる。また、タイマにより時間を計測しながらＬ，Ｒ切換周波数を変えていく際の、周波数の増大は、前述のように例えば２Ｈｚ程度ずつ高くしてもよく、あるいは連続的に上昇させてもよい。この場合、液晶表示パネルに表示される映像が不自然にならない程度であれば周波数の増分量をさらに大きくしてもよい。
【００３２】
図４は、本発明の他の実施形態に係わる画像表示装置としての立体表示装置の概略の構成を示す。この実施形態は、液晶表示パネル、またはその近傍、の温度を検出してその温度に基づきＬ，Ｒ切換周波数を制御するものである。
【００３３】
すなわち、図４の画像表示装置は、図１の画像表示装置におけるタイマ２０に代えて、Ａ／Ｄ変換器２４およびマイクロコンピュータ（マイコン）２６を備えている。また、温度センサ２２を、一例として、液晶表示装置１４に取り付けている。温度センサ２２は、このように液晶表示装置１４または液晶表示パネルに取り付けてもよく、あるいは液晶表示パネルの近傍に配置してもよい。なお、３Ｄコンバータ１２ｂは、図１の装置におけるタイマ２０に代えてマイコン２６からの制御信号に基づき３Ｄ画像信号のＬ，Ｒ切換周波数を制御するものである。
【００３４】
図４の画像表示装置においては、図１の画像表示装置と同様の立体画像表示動作が行なわれる他、温度センサ２２により液晶表示パネルの温度を検出して温度検出信号を得る。この温度検出信号はＡ／Ｄ変換器２４においてデジタル信号に変換され、マイコン２６に供給される。マイコン２６は、予め設定された温度とＬ，Ｒ切換周波数との関係を示すデータを参照してＬ，Ｒ切換周波数を決定し３Ｄコンバータ１２ｂに周波数制御信号を供給する。
【００３５】
図５は、上記予め設定された温度とＬ，Ｒ切換周波数との関係を示すデータの一例を示す。このデータは例えば実験的に求められマイコン２６のメモリ（図示せず）に記憶しておく。このデータに基づき、マイコン２６は測定された液晶表示パネルの温度に対応する周波数を求め、３Ｄ画像信号のＬ，Ｒ切換周波数を制御する。
【００３６】
図６は、本発明のさらに別の実施形態に係わる画像表示装置におけるＬ，Ｒ切換周波数制御手段の概略の構成を示す。図６の構成では、図示しない液晶表示パネルまたはその近傍に温度センサ３２が取り付けられ、さらに電源投入時から周波数制御を行なう時間を計測するためのタイマ３０が設けられている。これらの温度センサ３２およびタイマ３０からの信号は図示しないインタフェース回路を介してマイコン３４に供給される。マイコン３４はこれらの信号に基づき、所定の手順で画像表示に使用される映像用の水平カウンタ３６の周波数を制御する。マイコン３４による周波数制御の手法の一例としては、温度センサ３２からの信号に基づき液晶表示パネルの温度が所定の値より高いか低いかを判定する。液晶表示パネルの温度が所定の温度より高い場合にはタイマ３０を用いたＬ，Ｒ切換周波数の前述のような制御は行なわない。液晶表示パネルの温度が前記所定の値より低い場合には、タイマ３０を使用して前述のようなＬ，Ｒ切換周波数の制御を行なう。温度センサ３２およびタイマ３０を使用した制御の手法はこれ以外に種々の方法が考えられる。
【００３７】
図７は、本発明のさらに別の実施形態に係わる画像表示装置の概略の構成を示す。同図の画像表示装置は、例えば図４の画像表示装置における液晶表示パネルの背面にヒータ２８を設けたものである。このヒータ２８は、画像表示装置の電源を投入した際に、温度センサ２２によって検出した液晶表示パネルの温度が低い場合に、液晶表示パネルを速やかに暖めて最適な映像が直ちに得られるようにするものである。したがって、例えば、ヒータ２８の動作も温度センサ２２からの温度検出信号に基づきマイコン２６で制御するよう構成できる。
【００３８】
なお、前述の図１の画像表示装置においては、電源投入後タイマ２０を使用してＬ，Ｒ切換周波数を低い値、例えば６０Ｈｚ、から最終的な値、例えば９０Ｈｚ、へと上昇させるアイドリング動作を行なっている。このような画像表示装置の変形例として、アイドリング動作を強制的に不作動とするためのスイッチを設けることもできる。このスイッチは、例えば手動スイッチでもよく、あるいは何らかの制御信号による動作するものであってもよい。
【００３９】
なお、前記温度センサ２２は図示の如く液晶表示パネルの前面の隅に設置してもよく、あるいは液晶表示パネルの背面に取り付けてもよい。
【００４０】
以上のようなＬ，Ｒ切換周波数を制御する技術は、左目画像信号および右目画像信号をフレーム毎に黒レベルの信号と線順次または点順次形式で出力する画像表示装置に適用することもできる。
【００４１】
すなわち、図８は本発明のさらに別の実施形態に係わる画像表示装置を示す。図８に示される実施形態では、３Ｄコンバータから出力される３Ｄ画像信号は、フレームごとに順次左目画像信号および右目画像信号を出力するものであるが、各左目画像信号および右目画像信号の構成が従来のものと異なっている。図８に示される実施形態では、同図の（ａ）に示される３Ｄ画像信号の内の、左目画像信号は、図８の（ｂ）に示されるように、各走査ラインの内、奇数ラインのみに左目画像信号を与え、偶数ラインは黒レベルまたは無信号状態とする。これに対し、引き続くフレームにおける右目画像信号は、図８の（ｃ）に示されるように、偶数ラインで右目画像信号を表示し、奇数ラインは黒レベルまたは無信号状態とする。
【００４２】
すなわち、左目画像信号を表示する場合には、対応するフレームの例えば奇数ラインのみを使用し、偶数ラインは黒色または無信号とし、右目画像を表示する場合は対応するフレームにおいて偶数ラインのみを使用して画像信号による表示を行ない、奇数ラインは黒色または無信号とする。このような構成により、例えば、左目画像を表示する場合は奇数ラインのみ表示動作を行なわせ、前に右目画像をするために使用した偶数ラインは残っている信号を吐き出させる期間、言わば画像切換期間、として利用することができる。したがって、左目画像および右目画像が混ざり合うことがなくなり、残像を大幅に軽減できる。この場合、前記画像切換期間は、例えば黒レベルの表示として、前のフレームで使用した画像信号を強制的に吐き出させることにより、後のフレームで左目画像信号または右目画像信号の一方のみを明瞭に表示することが可能になる。
【００４３】
図９は、本実施形態に係わる立体表示装置における表示画面の各画素の表示状態の一例を示す。同図に示されるように、例えばあるフレーム１では、奇数ラインの全ての画素は左目画像信号（Ｌ）による表示を行なっており、偶数ラインは黒レベルの表示を行なっている。フレーム１ではこのような奇数ラインと偶数ラインの表示状態が繰り返される。これに対し、フレーム１に隣接するフレーム２では奇数ラインは黒レベルを表示しており、偶数ラインの全ての画素は右目画像信号を表示している。フレーム２では、このような奇数ラインおよび偶数ラインの表示状態が繰り返される。
【００４４】
次に、本発明のさらに別の実施形態に係わる画像表示装置としての立体表示装置につき説明する。この実施形態では、フレームごとに交互に左目画像および右目画像を順次表示するが、各フレームの走査ラインにおいて画像信号の表示に使用する画素と黒レベルを表示する画素とが順次交互に切り換えられ、言わば点順次式の表示が行なわれる。
【００４５】
例えば、図１０に示すように、あるフレーム１では、左目画像が表示され、各走査ラインは左目画像信号（Ｌ）と黒レベル（Ｂ）とを画素ごとに順次交互に表示する。これに対し、フレーム１に隣接するフレーム２では右目画像が表示され、各走査ラインでは黒レベル（Ｂ）と右目画像（Ｒ）とが画素ごとに順次交互に表示される。したがって、フレーム１で画像信号、この場合は左目画像信号、の表示に使用した画素は隣接するフレーム２では信号表示に使用されず、黒レベルを表示し、前のフレームの信号の吐き出し期間として使用される。また、フレーム１において黒レベル（Ｂ）の画素は、隣接するフレーム２において画像信号、この場合は右目画像信号、の表示のために使用され、残像のない状態で画像信号を表示することができる。
【００４６】
図１１は、点順次方式の別の例を示す。図１１においても、例えばフレーム１は左目画像の表示のために使用され、隣接するフレーム２は右目画像の表示のために使用される。また、各走査ラインにおいて画像信号と黒レベルの表示が画素ごとに順次交互に切り換えられる。ただし、図１１においては、例えば、各フレームにおいて、隣接する走査ライン間で画像信号の表示に使用した画素の位置がずらされている、すなわちオフセットされている。例えば、フレーム１の奇数ラインで左目画像を表示していた画素は、偶数ラインでは黒レベルを表示する。また、奇数ラインで黒レベルを表示していた画素は偶数ラインで左目画像を表示する。同様に、フレーム１に隣接するフレーム２において、奇数ラインでそれぞれ黒レベルおよび右目画像信号を表示していた画素は偶数ラインでは右目画像信号および黒レベルをそれぞれ表示するようオフセットされている。
【００４７】
このような走査ライン間で表示画素をオフセットさせることにより、視覚的に水平解像度や斜め解像度を改善することができる。なお、上記各実施形態において使用される３Ｄコンバータは、前述のような順序で各画像信号および黒レベルの信号を順次出力するよう構成すればよく、ゲート回路および／またはスイッチ回路などを使用して容易に構成することができる。
【００４８】
また、上記各実施形態においては、信号吐き出し期間は画像表示に使用しない画素に黒レベルの信号を供給するか無信号とするものとして説明した。しかしながら、信号吐き出し期間は黒レベル以外の信号を供給してもよい。例えば、信号吐き出し期間に黒レベルよりさらに低いレベルの信号を供給してもよい。あるいは、信号吐き出し期間の前のフレームで信号表示に使用した信号を所定の基準レベルに関して反転した信号等、前に信号表示に使用した信号のレベルに応じて変化する信号を供給してもよい。
【００４９】
さらに、上述の線順次方式の実施形態では、水平解像度は低下しないが垂直解像度が低下する。また、上記点順次方式の実施形態では、垂直解像度は低下しないが水平解像度は低下する。したがって、液晶パネルとして画素数の比較的少ないもの、例えばＶＧＡ（６４０×４８０）などを使用した場合には、用途によっては、解像度が不足する場合がある。
【００５０】
これを解決する方法として、水平方向または垂直方向の画素数を２倍にしたものを使用することもできる。また、液晶パネルをＳＸＧＡ（１２８０×１０２４）のような画素数の多いものとすることができる。
【００５１】
例えば、ＮＴＳＣ方式の場合には、走査線は１フレームにつき４８０本であるから、このようなＳＸＧＡ方式のパネルを使用することによって、左目画像信号および右目画像信号を間引きすることなく線順次で駆動できる。すなわち、左目画像信号および右目画像信号用に各々４８０本で計９６０本の走査線が使用され、これは１０２４より小さい。
【００５２】
また、水平解像度を劣化させない方法として液晶パネルにＸＧＡ（１０２４×７６８）方式のものを使用してもよい。これらのどの解像度のパネルを採用するかは、カメラの解像度、例えばＣＣＤ撮像素子などの画素数、その他の要求される仕様に応じて決定すればよい。
【００５３】
【発明の効果】
以上から明らかなように、本発明に係わる画像表示装置によれば、液晶表示パネルのような温度によって表示特性が変動する表示パネルを使用しても、温度変化の影響を受けることなく良好な立体画像表示を行なうことが可能になる。したがって、例えば電源投入直後から実用上十分な品質で立体画像の表示を行なうことが可能になる。すなわち、本発明によれば、液晶表示パネルの温度にかかわりなく、左目画像および右目画像の分離が十分に行なわれ、立体感の優れた表示画像が得られる。また、本発明によれば、温度が低い場合にも表示画像の輝度が低下することもなくなる。
【００５４】
さらに、左目画像信号および右目画像信号をフレーム毎に黒レベルの信号と線順次または点順次形式で出力する構成とすることにより、より一層クロストークの少ない高品質の立体画像表示を行なうことが可能になる。
【図面の簡単な説明】
【図１】本発明の一実施形態に係わる画像表示装置の概略の構成を示すブロック図である。
【図２】図１の画像表示装置の周波数制御動作を示すタイムチャートである。
【図３】液晶表示パネルの温度特性を示すグラフであり、（ａ）は初期温度が１０℃の場合を示し、（ｂ）は初期温度が２０℃の場合を示す。
【図４】本発明の別の実施形態に係わる画像表示装置の概略の構成を示すブロック図である。
【図５】図４の画像表示装置における温度対Ｌ，Ｒ切換周波数特性の一例を示すグラフである。
【図６】本発明のさらに別の実施形態に係わる画像表示装置における周波数制御手段の概略の構成を示すブロック図である。
【図７】本発明のさらに別の実施形態に係わる画像表示装置の概略の構成を示すブロック図である。
【図８】本発明のさらに別の実施形態に係わる画像表示装置の動作原理を示すタイムチャートである。
【図９】図８に示される動作を行なう画像表示装置の各画素の表示状態を示す説明図である。
【図１０】本発明のさらに別の実施形態に係わる画像表示装置の各画素の表示状態を示す説明図である。
【図１１】本発明のさらに別の実施形態に係わる画像表示装置の各画素の表示状態を示す説明図である。
【図１２】従来の立体表示装置の概略の構成を示すブロック図である。
【符号の説明】
２  左目画像用カメラ
４  右目画像用カメラ
６，６ａ，６ｂ，６ｃ  信号処理装置
８  左目画像信号処理部
１０  右目画像信号処理部
１２，１２ａ，１２ｂ，１２ｃ  ３Ｄコンバータ
１４  立体表示パネル
１６  液晶シャッタ
１８  眼鏡
２０，３０  タイマ
２２，３２  温度センサ
２４  Ａ／Ｄ変換器
２６，３４  マイコン
３６  水平カウンタ
【図１】
2004336226.tif 000003
【図２】
2004336226.tif 000004
【図３】
2004336226.tif 000005
【図４】
2004336226.tif 000006
【図５】
2004336226.tif 000007
【図６】
2004336226.tif 000008
【図７】
2004336226.tif 000009
【図８】
2004336226.tif 000010
【図９】
2004336226.tif 000011
【図１０】
2004336226.tif 000012
【図１１】
2004336226.tif 000013
【図１２】
2004336226.tif 000014